(57)【要約】      （修正有）【課題】プラスチック長板はマットレスに滑り止め機能を持たせて、しかも調節可能なねじ止め位置、防カビ、抗菌の効果を達成するベッド用床板構造を提供する。【解決手段】ベッド用床板構造であって、プラスチック長板２０には長溝２１が設けられるとともに、プラスチック長板２０の上表面には粗面模様２０１が設けられ、プラスチック長板２０の底面には格子状補強リブが設けられている。また、長溝２１内には複数の長尺枕頭穴２３、長尺貫通穴２４が配設されるとともに、プラスチック長板２０の外部表面には、プラスチック長板２０の上表面からプラスチック長板の周面の底縁にまで延在している防カビ抗菌保護層２６が塗布されている。上記構造により、プラスチック長板２０はマットレスに滑り止め機能を持たせて、しかも調節可能なねじ止め位置、防カビ、抗菌の効果を達成する。【選択図】図２
0003206763.tif 000002
【実用新案登録請求の範囲】
【請求項１】
プラスチック長板の上表面の長手方向の中央部にはプラスチック長板を切り通す長溝が設けられており、前記長溝内には複数の長尺枕頭穴が配設されており、前記長尺枕頭穴中には前記プラスチック長板の底部にまで貫通する長尺貫通穴が更に設けられており、しかも前記長溝の両側には、複数の通気穴がそれぞれ間隔をもって配設されることを特徴とするベッド用床板構造の改良。
【請求項２】
前記プラスチック長板の底面は複数の縦方向リブと、横方向リブとが交差して構成する格子状補助リブを有することを特徴とする請求項１に記載のベッド用床板構造の改良。
【請求項３】
前記長尺貫通穴は前記縦方向リブと、横方向リブとの交差箇所に設けられることを特徴とする請求項２に記載のベッド用床板構造の改良。
【請求項４】
前記プラスチック長板は上表面に粗面模様を有することを特徴とする請求項１に記載のベッド用床板構造の改良。
【請求項５】
前記プラスチック長板の外部表面には、前記プラスチック長板の上表面から前記プラスチック長板の周面の底縁にまで延在している防カビ抗菌保護層が塗布されていることを特徴とする請求項１に記載のベッド用床板構造の改良。
【考案の詳細な説明】
【技術分野】
【０００１】
本考案はベッド用床板構造の改良に関し、とりわけマットレスの滑り止め効果を有するプラスチック製床板であって、しかもねじ止めする時に熱膨張・冷収縮での長さ変化に応じて調整することができる。
【背景技術】
【０００２】
本考案はベッド用床板構造の改良に関し、とりわけマットレスの滑り止め効果を有するプラスチック製床板であって、しかもねじ止めする時に熱膨張・冷収縮での長さ変化に応じて調整することができる。
【考案の概要】
【考案が解決しようとする課題】
【０００３】
平面のプラスチック板１２上にマットレスを敷くとなると、滑らかな板面ではマットレスの固定性能が劣り、頻繁なベッドに横たわる、立ち上がる動作時に意に反して滑ってしまい、使用者の重心が不安定になりやすくなるのみならず、滑って転倒しやすくなり、危険な事態が生じる恐れがあった。
【０００４】
プラスチック板１２を横棒１１上に組付ける時、気温変化によってプラスチック板１２の長さが熱膨張・冷収縮してしまい、円形貫通穴１５と横棒１１の円形穴１１１との位置にずれが生じて位置合わせできなくなってしまい、もし無理にボルト１６をねじ込めば、円形貫通穴１５が破損してしまい、今後再度繰り返して使用する場合に、プラスチック板１２が損傷した円形貫通穴１５箇所で破損しやすくなり、再使用できなくなると、資源が無駄になり、殊更にもったいないことになる。
【０００５】
マットレスの縫い目は確かに通気性があるものの、体から落ちたふけ及び汗垢等の垢が挟まってしまう空間ともなってしまい、長期となると、細菌やバイ菌が繁殖する温床なって、細菌又はバイ菌が拡散し、マットレス下方のプラスチック板１２にまで伝染してしまうと、極めて不衛生となり、しかも表面の見た目もまたカビにより黒い斑点が生じて特に汚くなり、場合によっては繁殖した細菌又はバイ菌によって使用者が皮膚関連の病気にかかってしまう恐れがある。
【課題を解決するための手段】
【０００６】
本考案の主な目的は上記問題を解決して、ベッド用床板構造の改良を提供するものであって、主な技術、目的は次の通りである。プラスチック長板には長溝、粗面模様が設けられてマットレスとの摩擦力を増加させて、滑り止め効果を達成する。しかもねじ止め用の枕頭穴、貫通穴が長穴形として設けられることで、ボルトは左右で位置調整することができる。また、プラスチック長板の外表面には防カビ抗菌保護層が塗布されることで、防カビ抗菌の実用的な効果を達成する。
【０００７】
本考案の上記目的によれば、プラスチック長板の上表面の長手方向の中央部にはプラスチック長板を切り通す長溝が設けられており、長溝内には複数の長尺枕頭穴が配設されており、長尺枕頭穴中にはプラスチック長板の底部にまで貫通する長尺貫通穴が更に設けられており、しかも長溝の両側には、複数の通気穴がそれぞれ間隔をもって配設されるベッド用床板構造の改良を提供する。
【０００８】
本考案の実施例において、このうち、プラスチック長板の底面は複数の縦方向リブと、横方向リブとが交差して構成する格子状補助リブを有する。
【０００９】
本考案の実施例において、このうち、長尺貫通穴は縦方向リブと、横方向リブとの交差箇所に設けられる。
【００１０】
本考案の実施例において、このうち、プラスチック長板は上表面に粗面模様を有する。
【００１１】
本考案の実施例において、このうち、プラスチック長板の外部表面には、プラスチック長板の上表面からプラスチック長板の周面の底縁にまで延在している防カビ抗菌保護層が塗布されている。
【考案の効果】
【００１２】
上記構造により、プラスチック長板はマットレスに滑り止め機能を持たせて、調節可能なねじ止め位置、防カビ、抗菌等の効果を達成する。
【図面の簡単な説明】
【００１３】
【図１】従来のベッドの立体分解図である。
【図２】本考案の床板を組立てる立体構造概略図である。
【図３】本考案の底面立体図である。
【図４】本考案の一部の組立て断面図である。
【図５】本考案の横棒をねじ止めする一部断面図である。
【図６】本考案の横棒をねじ止めする一部平面図である。
【考案を実施するための形態】
【００１４】
本考案がより詳細に理解されるために、ここに好ましい実施例を挙げて、図面を合わせて、以下の通り詳細に説明する。
【００１５】
図２ないし図４を参照する。プラスチック長板２０上表面の長手方向の中央部にはプラスチック長板２０を切り通す長溝２１が設けられており、更にその上表面には粗面模様２０１が設けられ、しかもプラスチック長板２０の底面は複数の縦方向リブ２２１と、横方向リブ２２２とが交差して構成する格子状補助リブ２２を有している。また、長溝２１内には複数個の長尺枕頭穴２３が配設されており、長尺枕頭穴２３中にはプラスチック長板２０の底部まで貫通する長尺貫通穴２４が更に設けられており、しかも長尺貫通穴２４は縦方向リブ２２１と、横方向リブ２２２との交差箇所に設けられており、長溝２１の両側には、複数の通気穴２５がそれぞれ間隔をもって配設されており、プラスチック長板２０の外部表面には、プラスチック長板２０上表面からプラスチック長板２０の周面の底縁にまで延在している防カビ抗菌保護層２６が塗布されている。上記構造により、プラスチック長板２０はマットレス２７に滑り止め機能を持たせて、調節可能なねじ止め位置、防カビ、抗菌等の効果を達成する。
【００１６】
上記実施例の構成、作用、細部説明は以下の通りである。図２ないし図４を参照する。本考案の長溝２１は上方に位置するマットレス２７の底部を嵌入させることができ（図４に示す）、マットレス２７をしっかりと固定して、滑りにくくする効果を達成する。そして粗面模様２０１は植物の木目、動物のヒョウ柄、又は幾何図形模様等の表面が凸凹した模様とすることができることから、プラスチック長板２０の表面の摩擦力を増加させて、マットレス２７を滑りにくくすることができる。更には、本考案の底面の格子状補強リブ２２はプラスチック長板２０に耐湾曲、耐圧の能力を持たせて、優れた耐久性を持たせる効果を達成するとともに、重量軽減の効果も持たせている。
【００１７】
次に図５、６を参照する。気候が変化すると、製造出荷されたプラスチック長板２０の長さに熱膨張・冷収縮が発生して、長尺貫通穴２４の中心がずれてしまい、円形穴１１１の中心に正確に位置合わせすることができなくなるが、このときには、ボルト１６を長尺貫通穴２４にねじ止めする位置を左右で調整することで、プラスチック長板２０は温度による長さ変化の状況に対応することができ、しかも無理にねじ止めすることでプラスチック長板２０の完全性が損なわれてしまうという問題を防止することができ、その後再度繰り返して使用することで、資源を節約し、無駄をなくすという効果を達成する。
【００１８】
言及しておくべきは、防カビ抗菌保護層２６はプラスチック長板２０表面に防カビ抗菌塗料を塗布するというものであって、これによりバイ菌の伝染、繁殖するのを防止するとともに、汚れが付着しにくく、汚れ落としやすくするという効果を達成するということである。
【００１９】
上記実施例は本考案を十分に説明するために挙げた好ましい実施例に過ぎず、本考案の特徴を制限するためのものではなく、本考案に関係する技術手段、創作原理を利用した再創作は、なおも本考案の等価構造の創意の範疇に含まれる。
【符号の説明】
【００２０】
〔従来技術〕
１０        床板枠、      
１１   横棒、
１１１ 円形穴、
１２   プラスチック板、
１３   通気穴、
１４   円形枕頭穴、
１５   円形貫通穴、
１６   ボルト
〔本考案〕
２０   プラスチック長板、
２０１ 粗面模様、
２１   長溝、
２２   格子状補強リブ、
２２１ 縦方向リブ、
２２２ 横方向リブ、
２３   長尺枕頭穴、
２４   長尺貫通穴、
２５   通気穴、
２６   防カビ抗菌保護層、
２７   マットレス。
【図１】
0003206763.tif 000003
【図２】
0003206763.tif 000004
【図３】
0003206763.tif 000005
【図４】
0003206763.tif 000006
【図５】
0003206763.tif 000007
【図６】
0003206763.tif 000008
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
プラスチック長板の上表面の長手方向の中央部にはプラスチック長板を切り通す長溝が設けられており、前記長溝内には複数の長尺枕頭穴が配設されており、前記長尺枕頭穴中には前記プラスチック長板の底部にまで貫通する長尺貫通穴が更に設けられており、しかも前記長溝の両側には、複数の通気穴がそれぞれ間隔をもって配設されることを特徴とするベッド用床板構造。
【請求項２】
前記プラスチック長板の底面は複数の縦方向リブと、横方向リブとが交差して構成する格子状補助リブを有することを特徴とする請求項１に記載のベッド用床板構造。
【請求項３】
前記長尺貫通穴は前記縦方向リブと、横方向リブとの交差箇所に設けられることを特徴とする請求項２に記載のベッド用床板構造。
【請求項４】
前記プラスチック長板は上表面に粗面模様を有することを特徴とする請求項１に記載のベッド用床板構造。
【請求項５】
前記プラスチック長板の外部表面には、前記プラスチック長板の上表面から前記プラスチック長板の周面の底縁にまで延在している防カビ抗菌保護層が塗布されていることを特徴とする請求項１に記載のベッド用床板構造。